(57)【要約】【課題】  自由な姿勢により画像を見ることができるとともに、外部からの衝撃に対する表示部の保護を可能にした表示装置を提供する。【解決手段】  表示装置１は、複数の接合部４によって連結されたリング状の把持部２と、接合部４のそれぞれに取り付けられた複数の緩衝部１０と、緩衝部１０のそれぞれに筐体３１のコーナ部が結合された表示部３とを備える。この表示装置１は、手指により把持部２を握った状態で、表示部３に表示された画像を自由な角度で見ることができるとともに、外部からの衝撃は緩衝部１０が吸収するため、表示部３には前記衝撃は伝わり難くなり、表示部３を故障、損傷、破壊等から保護することができる。【選択図】    図１
2006038923.tif 000002
【特許請求の範囲】
【請求項１】
画像を表示する表示部と、
前記表示部の外側に設けられ、前記表示部を保持する把持部と、
前記把持部に加わった衝撃を吸収する緩衝部とを備えたことを特徴とする表示装置。
【請求項２】
前記把持部は、縦、横、高さの最大寸法をなすように設けられたことを特徴とする請求項１に記載の表示装置。
【請求項３】
前記把持部は、前記表示部との間に手指を挿入可能な空隙を有することを特徴とする請求項１に記載の表示装置。
【請求項４】
前記緩衝部は、前記衝撃を弾性変形により吸収する弾性体と、前記衝撃を塑性変形により吸収する変形部材、あるいは前記衝撃を粘性抵抗により吸収する粘性抵抗部材とを備えたことを特徴とする請求項１に記載の表示装置。
【請求項５】
前記把持部は、リング状を有し、その中心に前記表示部が位置するように前記表示部を保持し、
前記緩衝部は、前記表示部と前記把持部との間に設けられたことを特徴とする請求項１に記載の表示装置。
【請求項６】
前記把持部は、相対的に移動可能に設けられた複数の把持部からなり、
前記緩衝部は、前記複数の把持部と前記表示部との間に設けられたことを特徴とする請求項１に記載の表示装置。
【請求項７】
前記把持部は、相対的に移動可能に設けられた複数の把持部からなり、
前記緩衝部は、前記複数の把持部間に設けられたことを特徴とする請求項１に記載の表示装置。
【請求項８】
前記把持部は、相対的に移動可能に設けられた複数の把持部からなり、
前記緩衝部は、前記把持部と前記表示部との間、および前記複数の把持部間に設けられたことを特徴とする請求項１に記載の表示装置。
【請求項９】
前記複数の把持部の相対的移動をロックするロック部と、
前記把持部に加わった衝撃を検知するセンサと、
前記センサの出力に基いて前記ロック部によるロックを解除する解除部とを備えたことをことを特徴とする請求項６、７又は８に記載の表示装置。
【請求項１０】
前記表示部は、矩形状を有し、
前記把持部は、リング状を有し、その中心に前記表示部が位置するように前記表示部を保持し、
前記緩衝部は、前記表示部のコーナ部と前記把持部との間に設けられたことを特徴とする請求項１記載の表示装置。
【請求項１１】
前記把持部は、その厚さが前記表示部の厚さより厚く、前記把持部を平坦面に載置したときに、前記表示部が前記平坦面に接しない位置に設けられたことを特徴とする請求項１０記載の表示装置。
【請求項１２】
前記把持部は、同心円状をなすとともに交差するように配置され、対向する一対の交差部で相互に回動可能に軸支された第１および第２の把持部からなることを特徴とする請求項１に記載の表示装置。
【請求項１３】
前記表示部は、矩形状を有し、
前記緩衝部は、前記表示部のコーナ部と前記第１および第２の把持部との間に配設されたことを特徴とする請求項１２に記載の表示装置。
【請求項１４】
前記緩衝部は、前記一対の交差部に配設され、捻りによって前記衝撃を吸収することを特徴とする請求項１２に記載の表示装置。
【請求項１５】
前記把持部は、前記表示部の外形より大きい内径を有するリング状の第１の把持部と、前記第１の把持部の外径より大きい内径を有するリング状の第２の把持部とを有することを特徴とする請求項１に記載の表示装置。
【請求項１６】
前記表示部は、矩形状を有し、
前記緩衝部は、前記表示部のコーナ部と前記第１および第２の把持部との間に設けられたことを特徴とする請求項１５に記載の表示装置。
【請求項１７】
前記表示部は、矩形状を有し、
前記緩衝部は、前記表示部のコーナ部と前記第１の把持部との間、および前記第１および第２の把持部間に設けられたことを特徴とする請求項１５に記載の表示装置。
【請求項１８】
前記把持部に加わった衝撃を検知するセンサと、
前記センサの出力に基いて前記表示部に対する表示制御を行う制御部とを備えたことをことを特徴とする請求項１に記載の表示装置。
【請求項１９】
前記表示部は、座標の入力および前記画像の表示が可能な画面を有することを特徴とする請求項１に記載の表示装置。
【発明の詳細な説明】
【技術分野】
【０００１】
本発明は、画像を表示する表示部を有する表示装置に関し、特に、自由な姿勢により画像を見ることができるとともに、外部からの衝撃に対する表示部の保護を可能にした表示装置に関する。
【背景技術】
【０００２】
近年、タブレットＰＣ（パーソナルコンピュータ）と呼ばれるフラットパネル形状のＰＣが開発されている。この従来のタブレットＰＣとして、例えば、全体形状が厚さ１０ｍｍ以上もある直方体状であり、一つの面に画像を表示する画像表示部と、各種操作を行う操作部とを備えたものが知られている。この従来のタブレットＰＣによれば、ユーザーがそのタブレットＰＣを机上に置いたり、手で持ったり、膝の上に置いて画像表示部に表示される画像を見ることができる。
【０００３】
しかし、タブレットＰＣは厚みが１０ｍｍ以上ある四角いモニタ画面の形状であるため、長時間手に持ってドキュメントを閲覧するには持ちにくく、ドキュメント閲覧中に手からすべり落ちて床に落として表示部のガラス等を破損してしまう等の危険性があった。
【０００４】
そこで、ＰＣへの衝撃を吸収する手段として、ＰＣを収納するケースのコーナ部の外部に無反発ゴムによる緩衝部を取り付け、さらに収納されたＰＣの表示兼入力部を見ることができるようにする窓部が設けられ、この窓部を保護する保護カバーが開閉可能に取り付けられた収納ケースが提案されている（例えば、特許文献１参照。）。
【特許文献１】特開平７−１６０３６６号公報（［０００９］、［００１０］、図１）
【発明の開示】
【発明が解決しようとする課題】
【０００５】
しかし、従来のタブレットＰＣは、直方体形状の筐体を有するため、自由な姿勢で画像の閲覧をする場合には、長時間手に持って画像を閲覧するには持ち難く、筐体を保持する手指に無理な負担がかかったり、床に落として表示部のガラス等を破損してしまう等の問題があった。
【０００６】
また、従来のＰＣによると、専用の収納ケースに収納しなければ保護できないばかりか、衝撃を吸収することのできる体積はコーナ部の僅かな領域であり、高精度な部品を搭載したノートＰＣやタブレットＰＣの保護には不十分であった。
【０００７】
従って、本発明の目的は、自由な姿勢により画像を見ることができるとともに、外部からの衝撃に対する表示部の保護を可能にした表示装置を提供することにある。
【課題を解決するための手段】
【０００８】
本発明は、上記目的を達成するため、画像を表示する表示部と、前記表示部の外側に設けられ、前記表示部を保持する把持部と、前記把持部に加わった衝撃を吸収する緩衝部とを備えたことを特徴とする表示装置を提供する。
【発明の効果】
【０００９】
本発明の表示装置によれば、把持部を手指で容易につかむことができ、また、表示方向等に応じて表示部を読みやすい姿勢にすることができるため、自由な姿勢により長時間に渡って画像を見ることができる。更に、緩衝部が把持部に付与された衝撃を吸収するため、外部からの衝撃に対して表示部を保護することができる。
【発明を実施するための最良の形態】
【００１０】
［第１の実施の形態］
図１は、本発明の第１の実施の形態に係る表示装置を示し、（ａ）は、平面図、（ｂ）は、（ａ）のＡ−Ａ線に沿う断面図である。
【００１１】
この表示装置１は、リング状の外形を有する把持部２と、この把持部２の内側に複数の接合部４を介して保持された縦長の表示部３と、把持部２に着脱可能に設けられ、表示部３に表示されるカーソルの移動、選択等の操作を行うためのトラックボール５１およびマウスボタン５２を有する第１の操作部５と、閲覧しているドキュメントのページめくりやスクロールを指示する十文字キー６１を有する第２の操作部６と、表示部３に設けられた電源スイッチ７と、表示部３と接合部４の間に設けられた衝撃吸収用の緩衝部１０とを備える。また、この表示装置１は、表示部３に後述するタッチパネル３２を操作するためのタッチパネル用ペン８を備える。
【００１２】
把持部２は、表示部３との間に手指を挿入することができる空隙を備え、手指で握りやすいような外径（例えば、直径３０ｍｍ）を有し、軽量化のため、断面形状が中空構造となっており、アルミニウム，樹脂等から形成され、接合部４の組み付けを容易にするため、４分割し、これを接合部４に嵌め込んで１つに連結する構成にしている。更に、把持部２の表面に、微小な凹凸や多孔を有するゴムやウレタン樹脂等からなる柔軟層を形成している。なお、本実施の形態において、把持部２の左右側に第１および第２の操作部５，６を設けたが、把持部２の上下側に設けることもできる。
【００１３】
把持部２の厚さは、表示部３の厚さよりも厚く形成されている。すなわち、この表示装置１を平坦面の上に載置したときに、表示部３が平坦面に当接しないように、表示部３の外端面は、把持部２の外端面よりも内側に構成されている。
【００１４】
表示部３は、接合部４により把持部２に固定された筐体３１と、筐体３１に保持され、座標入力部としてのタッチパネル３２、画像を表示する表示部としてのＬＣＤ３３、画像の表示制御を行う制御部としての制御基板３５、蛍光管３６、および蛍光管３６による発光光を導光してＬＣＤ３３のバックライトとする導光板３４からなる画面部３０とを備える。なお、蛍光管３６の代わりに、ＬＥＤ（発光ダイオード）、ＥＬ（エレクトロミネッセンス）等を用いることができる。
【００１５】
制御基板３５は、プリント基板上に、この表示装置１全体を制御するＣＰＵ、画像を記憶するメモリ等を搭載したものである。
【００１６】
タッチパネル３２は、例えば、抵抗膜方式（感圧方式）であり、ガラス面上に透明電極、スペーサ、透明電極、および最上面にフィルムを積層してなるものである。フィルム上を指またはタッチパネル用ペン８により押圧することにより、２枚の透明電極間が導通し、その点の座標が入力され、各種の選択を行うことができるように構成されている。
【００１７】
なお、タッチパネル３２は、上記抵抗膜方式（感圧方式）の外に、電磁誘導方式、静電結合方式、超音波表面弾性波方式、赤外線遮光方式等を用いてもよい。
【００１８】
（緩衝部）
表示部３と把持部２との間の空隙を積極的に利用して、衝撃を受けた場合に表示部３が慣性で移動することを想定して表示部３と把持部２の接続においては、硬い接続部材ではなく、緩衝部１０を介して接続している。この緩衝部１０は、例えば、ゴム、バネ、内部にガスや液体等の流動体を封入した袋状部材等の弾性部材、衝撃で変形することにより衝撃を吸収する発泡部材，ハニカム構造体等の変形部材、粘性抵抗により衝撃を吸収するショックアブソーバ等の粘性部材等を用いることができる。これらは、単体で用いてもよく、２種以上を組み合せて用いてもよい。これらを組み合わせることにより、あるいは単体で、弾性変形の範囲に収まる場合は、衝撃が収まった後の形状は元に戻り、衝撃が大きく塑性変形の範囲まで達する場合は、変形または破壊によってその衝撃を吸収することが可能となる。
【００１９】
（配置の変更）
図２は、表示装置１の配置例を示す。この表示装置１は、表示部３を横長に配置し、第１および第２の操作部５，６の位置を同図に示すように変更できるように構成されている。この場合、画像の向きを操作部５，６の操作によって変更できるようにしてもよい。
【００２０】
（表示装置の動作）
次に、この表示装置１の動作を説明する。まず、ユーザは、両手で把持部２を握りながら、電源スイッチ７を押下すると、制御基板３５のＣＰＵは、ＬＣＤ３３に初期画像を表示させる。次に、ユーザがタッチパネル３２の操作、またはトラックボール５１およびマウスボタン５２の操作により必要な画面を選択すると、ＣＰＵは選択された画像をＬＣＤ３３に表示させる。また、ＣＰＵは、表示させた画像を十文字キー６１により所望の方向に移動させる。
【００２１】
（衝撃の吸収動作）
表示装置１の把持部２を握りながら操作しているときに外部から衝撃が加わった場合、或いは表示装置１を落としたとき、把持部２に衝撃が加わる。しかし、その衝撃は緩衝部１０によって吸収されるため、表示部３への伝達は軽減される。緩衝部１０は、衝撃が弾性変形の範囲に収まる場合には、衝撃が収まった後に原状復帰する。また、加わった衝撃が大きく、塑性変形の範囲にまで達する場合、緩衝部１０は、変形または破壊することにより衝撃を吸収する。なお、緩衝部１０が、変形または破壊した場合には、同一仕様の別の緩衝部１０と交換する。
【００２２】
（第１の実施の形態の効果）
第１の実施の形態によれば、下記の効果を奏する。
（イ）把持部２と表示部３との間に手指が挿入できる間隙を有しているため、ユーザーが自分自身の読みやすい位置に合わせて、縦方向、横方向、水平方向、垂直方向など、自由に表示部の位置を変えられるとともに、長時間ドキュメントを閲覧する時でも、本表示装置１を保持しても疲れにくいので、自由な姿勢でドキュメントの閲覧をすることができる。
（ロ）表示部３の筐体３１と接合部４の間に緩衝部１０が設けられていることにより、周方向からの衝撃をどの方向からでも緩衝部１０によって吸収できるため、ドキュメント閲覧中に手から滑り落ちて床に落としたり、搬送中に大きな衝撃が生じた場合であっても、表示部３を故障、損傷、破壊等から保護することができる。
（ハ）表示部３の外端面は、把持部２の外端面よりも内側に構成されているため、表示部３を平坦面の上に載置しても、表示部３は平坦面に当接しないので、表示部３を傷付けにくい。そのため、長期に渡って表示装置１を使用することができる。
（ニ）把持部２の表面に微小な凹凸や多孔を有する柔軟層を形成したため、使用時、使用者の握り手の発汗が生じても、滑ることなく把持部２を把持することができる。また、柔軟層は衝撃を吸収するため、表示部３に対する機械的衝撃からより一層保護することができる。
【００２３】
［第２の実施の形態］
図３は、本発明の第２の実施の形態に係る表示装置を示し、（ａ）は、平面図、（ｂ）は、正面図である。
【００２４】
この表示装置１は、第１の実施の形態の把持部２と同様の内部構造を有する２つの円形の把持部２Ａ，２Ｂが交差するように２箇所で軸支された構成を有するとともに、緩衝部１０のそれぞれにバネ部材を用いた構成を有する点が第１の実施の形態と相違し、他の構成は第１の実施の形態と同様である。なお、第１および第２の操作部５，６、電源スイッチ７、タッチパネル用ペン８については、図示を省略しているが、第１の実施の形態と同様の場所に設置される。
【００２５】
把持部２Ａ，２Ｂは、上面から見たときに同心円を成すとともに、正面から見たときにＸ字形を成し、かつ回動可能なように、交差部を軸２１によって結合している。把持部２Ａ，２Ｂのそれぞれの交差部は、対向面の所定範囲が厚み方向に約１／２カットされた凹部２２を有しており、これにより、把持部２Ａと把持部２Ｂが、同心円状に重なるように組み付けられた構成にすることができる。なお、把持部２Ａ，２Ｂの数は、２つに限るものではなく、３つ以上であってもよい。３つ以上にすることで、表示部３の保護を更に確実にすることができる。
【００２６】
緩衝部１０は、一端が把持部２Ａ，２Ｂに係着されるコイルバネ１１と、このコイルバネ１１の他端が係着されるとともに筐体３１の各コーナ部に装着された金属製または樹脂製の支持具１２とを備える。なお、支持具１２は、別部品にしたが、表示部３に一体化されていてもよい。また、コイルバネ１１は、美観の向上、指挟みの防止等のため、ビニールチューブ等で外装するのが望ましい。
【００２７】
（衝撃の吸収動作）
図４は、第２の実施の形態にあって、付与された衝撃の状況に応じた把持部２Ａ，２Ｂの変化を示す。同図中、（ａ）は衝撃Ｐが加わらない通常時の状態を示し、（ｂ）は上下方向から衝撃Ｐが加わった時の状態を示し、（ｃ）は左右方向から衝撃Ｐが加わった時の状態を示す。なお、図４は説明図としての模式図であるので、把持部２Ａ，２Ｂ、表示部３以外の部材の図示は省略している。
【００２８】
表示装置１の把持部２Ａ，２Ｂのいずれかに上下方向（表示部３の厚み方向）から衝撃が加わった場合、把持部２Ａ，２Ｂは、図４の（ａ）の状態から（ｂ）に示すように、把持部２Ａ，２Ｂの上下方向の間隔が小さくなるように変化、つまり、衝撃が付与された方向と同じ方向に把持部２Ａ，２Ｂが回転しようとするため、Ｘ字形が扁平になるように変化する。このとき、緩衝部１０のそれぞれのコイルバネ１１が圧縮し、把持部２Ａ，２Ｂに付与された衝撃を吸収するので、衝撃は表示部３には殆ど伝達されない。
【００２９】
次に、把持部２Ａ，２Ｂの左右方向（水平方向）から衝撃が加わった場合、図４の（ａ）の状態から（ｃ）に示すように、把持部２Ａ，２Ｂは、その上下方向の間隔が大きくなるように変化、つまり、Ｘ字形が縦長になるように変化する。このとき、緩衝部１０のそれぞれのコイルバネ１１が伸長し、把持部２Ａ，２Ｂに付与された衝撃を吸収するので、この場合も、衝撃は表示部３には殆ど伝達されない。
【００３０】
（第２の実施の形態の効果）
この第２の実施の形態によれば、衝撃を受けた場合、把持部２Ａ，２Ｂの相対位置が変わることで衝撃を吸収することができる。また、把持部２Ａ，２Ｂが交差するようにＸ字形に組まれていることにより、把持部周辺と表示部３との間の距離を大きくとれるため、表示部３に外部の物体が当たりにくくなり、表示部３の保護を確実にすることができる。通常の使用時は、把持部２Ａ，２Ｂを手指で掴むと、図４（ｂ）に示す状態になるため、把持部２Ａ，２Ｂが表示部３を見るのに邪魔にならない。一方の把持部２Ａまたは２Ｂを掴んで表示部３を見ることもできる。
【００３１】
［第３の実施の形態］
図５は、本発明の第３の実施の形態に係る表示装置を示し、（ａ）は、平面図、（ｂ）は、正面図である。本実施の形態は、第２の実施の形態において、把持部２Ａ，２Ｂの結合を軸２１に代えて緩衝部１０自身により行うとともに、表示部３と把持部２Ａ，２Ｂの一方との結合を筐体３１の各コーナ部に配した固定具２３により行うようにしたものであり、他の構成は、第２の実施の形態と同様である。図５においては、把持部２Ａ，２Ｂおよび表示部３以外の部材の図示を省略している。
【００３２】
緩衝部１０は、例えば、円柱状、角柱状等のゴムによって構成されている。緩衝部１０の把持部２Ａ，２Ｂへの固定は、例えば、接着剤で接着することにより行われる。
【００３３】
固定具２３は、筐体３１の各コーナ部と把持部２Ａとを結合する帯状の金具または合成樹脂製の部品であり、表示部３および把持部２Ａ，２Ｂに対する固定は、ネジ、接着剤等を用いて行われる。なお、固定具２３は、把持部２Ａに代えて、把持部２Ｂに取り付けてもよい。また、固定具２３は、帯状以外の形状であってもよいし、その全体または一部が衝撃を吸収する弾性部材により構成されていてもよい。
【００３４】
本実施の形態における緩衝部１０は、把持部２Ａ，２Ｂを結合する軸と緩衝部材の機能とを兼備している。把持部２Ａ，２Ｂの一方に外部から衝撃が加わると、把持部２Ａ，２Ｂは、図４の（ｂ）または（ｃ）のように、衝撃が付与された方向と同じ方向に逃げるように回転することにより、緩衝部１０が捩れて、衝撃は緩衝部１０によって殆どが吸収される。更に、固定具２３が撓むことによっても衝撃力が低減される。この結果、外部から把持部２Ａ，２Ｂに衝撃が加わっても、表示部３には伝わり難くすることができる。
【００３５】
この第３の実施の形態によれば、衝撃に対しては第２の実施の形態の効果と同様の効果が得られるほか、表示部３と把持部２Ａ，２Ｂの結合に簡単な構成の固定具２３を用いることができるため、表示部３の支持構造を簡略化することができる。
【００３６】
［第４の実施の形態］
図６は、本発明の第４の実施の形態に係る表示装置を示し、（ａ）は、平面図、（ｂ）は、正面図である。本実施の形態は、第２または第３の実施の形態において、把持部２Ａ，２Ｂの直径を異ならせ、これらを同軸に配置するとともに、把持部２Ａ，２Ｂの中間位置に表示部３を配置し、表示部３を緩衝部１０によって把持部２Ａ，２Ｂに結合したものであり、他の構成は第２，第３の実施の形態と同様である。なお、本実施の形態においても、第１，第２の操作部５，６、電源スイッチ７、タッチパネル用ペン８については、図示を省略している。
【００３７】
本実施の形態における把持部２Ａ，２Ｂは、共に継ぎ目無しの１つの円を成しており、内側に配置された把持部２Ｂは、表示部３の対角線の長さより大きい直径に設定され、把持部２Ａは把持部２Ｂより大きい直径に設定されている。なお、把持部２Ａ，２Ｂは、把持部２Ｂが下側に配置され、これよりも直径の大きい把持部２Ａが上側に配置されているが、上下逆の配置であってもよい。また、共に同一径であってもよい。
【００３８】
緩衝部１０は、ゴム等の弾性部材を棒状に加工したものが用いられるが、棒状の金具や樹脂製品等の途中または端部にゴム、バネ等による弾性部材を介在させた構造であってもよい。
【００３９】
（衝撃の吸収動作）
図６（ｃ）は、上下方向から衝撃により把持部が変化した状態を示す。本図および図６を参照して、本実施の形態の動作を説明する。図６の（ｂ）において、把持部２Ａ，２Ｂの上下方向から衝撃が加わった場合、把持部２Ａ，２Ｂは、図６の（ｃ）に示すように、把持部２Ａ，２Ｂの間隔が小さくなるように変化して衝撃を吸収する。このとき、表示部３は緩衝部１０を介して間接的に把持部２Ａ，２Ｂに取り付けられているため、把持部２Ａ，２Ｂからの衝撃は、緩衝部１０で吸収され、表示部３には殆ど伝達されない。
【００４０】
また、衝撃が水平方向（横方向）から加わった場合、把持部２Ａ，２Ｂのいずれか衝撃の加わった方が左右方向にずれると同時に緩衝部１０が撓うことにより、衝撃が吸収される。
【００４１】
この第４の実施の形態によれば、把持部２Ａ，２Ｂが所定の間隔で上下方向に同軸に配設されているため、表示部３は左右、上下のいずれの方向に対しても外部の衝撃から保護することができるため、故障、損傷、破壊等からの保護を、他の実施例よりも高めることができる。
【００４２】
［他の実施の形態］
なお、本発明は、上記各実施の形態に限定されず、その要旨を変更しない範囲内で種々な変形が可能である。例えば、各実施の形態間の構成要素の組合せは任意に行うことができる。
【００４３】
前記各実施の形態において、把持部２に加わった衝撃を検出する加速度センサまたは歪センサ（圧電素子、ピエゾ素子など）等のセンサを把持部２や表示部３等に設置し、通常は、複数の把持部を図４（ｂ）や図６（ｃ）等に示す小型な姿勢にロックしておき、センサが一定以上の衝撃を検知したとき、そのロックを解除して複数の把持部あるいは把持部と表示部の相対位置を変化させてもよい。このような構成により、把持部２Ａ，２Ｂが表示装置１を動かしただけで、図４の（ａ），（ｃ）や図６（ｂ）のように変形してしまうのを防止することができ、操作性や使い勝手を向上させることができる。また、一定以上の衝撃が加わったことを検知した場合に、表示に関する機能をＯＦＦする等の対策を行うのが好ましい。
【００４４】
また、把持部２，２Ａ，２Ｂは、空隙部に手指を挿入して手指で掴むことができるものであれば、その形状は問わない。例えば、矩形状、円弧状、Ｌ字状、多角形、表示部の四隅で接する楕円形等でもよい。
【００４５】
また、表示部３として、上記ＬＣＤ（液晶ディスプレイ）の他に、ＥＬＤ（エレクトロルミネッセンスディスプレイ）、ＰＤＰ（プラズマディスプレイ）、ＶＦＤ（蛍光表示管ディスプレイ）、ＬＥＤ（発光ダイオード）ディスプレイ、ＦＥＤ（電界放出ディスプレイ）等のフラットディスプレイを用いてもよい。
【００４６】
また、紙のように見やすい表示や無電源での表示維持性を目指した各種電子ペーパ技術、例えば、ＥＰＩＤ（電気泳動表示素子）、トナーディスプレイ、コレステリック液晶ディスプレイ、強誘電液晶ディスプレイ、ＥＣＤ（エレクトロクロミックディスプレイ）、エレクトロデポジション、Ｔｗｉｓｔｉｎｇ  Ｂａｌｌ  Ｄｉｓｐｌａｙ等に適用することができる。
【図面の簡単な説明】
【００４７】
【図１】本発明の第１の実施の形態に係る表示装置を示し、（ａ）は、平面図、（ｂ）は、（ａ）のＡ−Ａ線に沿う断面図である。
【図２】本発明の第１の実施の形態に係る表示装置の配置例を示す平面図である。
【図３】本発明の第２の実施の形態に係る表示装置を示す平面図である。
【図４】第２の実施の形態において、把持部の通常時の状態と衝撃が加わったときの状態を示し、（ａ）は衝撃が加わらない通常時の状態を示す説明図、（ｂ）は上下方向から衝撃が加わった状態を示す説明図、（ｃ）は左右方向から衝撃が加わった状態を示す説明図である。
【図５】本発明の第３の実施の形態に係る表示装置を示し、（ａ）は、平面図、（ｂ）は、正面図である。
【図６】本発明の第４の実施の形態に係る表示装置を示し、（ａ）は、平面図、（ｂ）は、正面図（ｃ）は、上下方向からの衝撃により把持部が変化した状態を示す正面図である。
【符号の説明】
【００４８】
１  表示装置
２，２Ａ，２Ｂ  把持部
３  表示部
４  接合部
５，６  操作部
７  電源スイッチ
８  タッチパネル用ペン
１０  緩衝部
１１  コイルバネ
１２  支持具
２１  軸
２２  凹部
２３  固定具
３０  画面部
３１  筐体
３２  タッチパネル
３４  導光板
３５  制御基板
３６  蛍光管
５１  トラックボール
５２  マウスボタン
６１  十文字キー
【図１】
2006038923.tif 000003
【図２】
2006038923.tif 000004
【図３】
2006038923.tif 000005
【図４】
2006038923.tif 000006
【図５】
2006038923.tif 000007
【図６】
2006038923.tif 000008